(57)【要約】【課題】同一の発信者からの複数のメッセージ情報が表す複数のメッセージによって一連の情報が表される場合、その一連の情報を利用者が容易に把握することができるように前記複数のメッセージを出力することのできる「情報処理装置」を提供するものである。【解決手段】所定の時間範囲で提供された複数のメッセージ情報から、指定された発信者から提供されたメッセージ情報を検索する検索手段（Ｓ１３）と、その検索結果に係る複数のメッセージ情報のそれぞれが表すメッセージにおける、他のメッセージとの連続性を意味する文字列として予め定めた判定文字列の有無の状況を判定する判定手段（Ｓ１５）と、その判定結果に基づいて、一連のメッセージを構成する複数のメッセージを抽出するメッセージ抽出手段（Ｓ１８）と、前記抽出された複数のメッセージを用いて出力メッセージを生成する出力メッセージ生成手段（Ｓ１９）とを有する構成となる。【選択図】図２
2015001890.tif 000002
【特許請求の範囲】
【請求項１】
発信者から提供されるメッセージ情報を取得し、その取得したメッセージ情報が表すメッセージを出力部から出力する情報処理装置であって、
所定の時間範囲で提供された複数のメッセージ情報から、指定された発信者から提供されたメッセージ情報を検索する検索手段と、
該検索手段での検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定手段と、
該判定手段による判定結果に基づいて、前記検索結果に係る複数のメッセージ情報から一連のメッセージを構成する複数のメッセージを抽出するメッセージ抽出手段と、
該抽出手段により抽出された複数のメッセージを用いて出力メッセージを生成する出力メッセージ生成手段とを有する情報処理装置。
【請求項２】
前記出力メッセージ生成手段は、前記一連のメッセージを構成するものとして抽出された複数のメッセージを構成する複数の文字列を、対応するメッセージ情報が提供された順番に並べて、前記出力メッセージを生成する請求項１記載の情報処理装置。
【請求項３】
前記メッセージ生成手段は、前記判定文字が含まれていると判定された各メッセージを構成する文字列から前記判定文字列を削除する判定文字列削除手段を有し、
該判定文字列削除手段により削除されたメッセージを用いて、前記出力メッセージを生成する請求項２記載の情報処理装置。
【請求項４】
前記出力部は、音を出力するスピーカを含み、
前記出力メッセージを前記スピーカから音声として出力させる音声出力制御手段を有する請求項３記載の情報処理装置。
【請求項５】
車両に搭載される装置である請求項４記載の情報処理装置。
【請求項６】
前記出力部は、通信機能を含み、前記出力メッセージを該通信機能により他の電子機器に送出する請求項１乃至３のいずれかに記載の情報処理装置。
【請求項７】
発信者から提供されるメッセージ情報を取得し、その取得したメッセージ情報が表すメッセージを出力部から出力する情報処理装置での処理方法であって、
所定の時間範囲で提供された複数のメッセージ情報から、指定された発信者から提供されたメッセージ情報を検索する検索ステップと、
該検索ステップでの検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定ステップと、
該判定ステップによる判定結果に基づいて、前記検索結果に係る複数のメッセージ情報から一連のメッセージを構成する複数のメッセージを抽出するメッセージ抽出ステップと、
該抽出ステップにより抽出された複数のメッセージを用いて出力メッセージを生成する出力メッセージ生成ステップとを有する前記情報処理装置での処理方法。
【請求項８】
前記出力メッセージ生成ステップは、前記一連のメッセージを構成するものとして抽出された複数のメッセージを構成する複数の文字列を、対応するメッセージ情報が提供された順番に並べて、前記出力メッセージを生成する請求項７記載の前記情報処理装置での処理方法。
【請求項９】
前記出力メッセージ生成ステップは、前記判定文字列が含まれていると判定された各メッセージを構成する文字列から前記判定文字列を削除する判定文字列削除ステップを有し、
該判定文字削除ステップにより削除されたメッセージを用いて、前記出力メッセージを生成する請求項８記載の前記情報処理装置での処理方法。
【請求項１０】
前記出力部は、音を出力するスピーカを含み、
前記出力メッセージを前記スピーカから音声として出力させる音声出力制御ステップを有する請求項９記載の前記情報処理装置での処理方法。
【請求項１１】
前記出力部が、通信機能を含み、前記出力メッセージを該通信機能により他の電子機器に送出する請求項７乃至９のいずれかに記載の前記情報処理装置での処理方法。
【請求項１２】
発信者から提供されるメッセージ情報を取得し、その取得したメッセージ情報が表すメッセージを出力部から出力する情報処理装置での処理をコンピュータに行わせるプログラムであって、前記コンピュータに、
所定の時間範囲で提供された複数のメッセージ情報から、指定された発信者から提供されたメッセージ情報を検索する検索ステップと、
該検索ステップでの検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定ステップと、
該判定ステップによる判定結果に基づいて、前記検索結果に係る複数のメッセージ情報から一連のメッセージを構成する複数のメッセージを抽出するメッセージ抽出ステップと、
該抽出ステップにより抽出された複数のメッセージを用いて出力メッセージを生成する出力メッセージ生成ステップとを行わせるプログラム。
【発明の詳細な説明】
【技術分野】
【０００１】
本発明は、ツイッター（登録商標）等の情報提供サービスのシステムにおいて発信者から提供される投稿文等のメッセージ情報を取得し、その取得したメッセージ情報が表すメッセージを表示パネルやスピーカ等の出力部から出力する情報処理装置に関する。
【背景技術】
【０００２】
例えば、ツイッター（登録商標）のシステム（情報提供システム）に、所定文字数以内に制限された文字列で構成されるメッセージを表すメッセージ情報（投稿文）をパソコン、携帯電話、スマートフォン等の端末機器から投稿することができる。また、端末機器は、ツイッター（登録商標）のシステムにアクセスすることにより、種々のメッセージ情報で表されるメッセージを表示パネルに当該メッセージ情報が投稿された順番に従って（時系列的）に一覧表示させることができる。このようなツイッター（登録商標）のシステムを利用するユーザは、端末機器からのメッセージ情報の投稿及び端末機器にて一覧表示されるメッセージの閲覧を通して、他のユーザとのコミュニケーションを図ることができる。
【０００３】
例えば、特許文献１に開示される情報処理装置が知られている。この情報処理装置では、ツイッター（登録商標）のシステム等の情報提供システムにアクセスしてメッセージが一覧表示されるとともに、そのメッセージが音声合成の技術によって音声出力される。このような情報処理装置によれば、メッセージを表示画面にて確認するだけでなく、音声によって確認することができる。このため、この情報処理装置を車両に搭載させた場合、運転者の運転操作を妨げることなく、投稿される種々のメッセージ情報（投稿文）にて表されるメッセージを音声にて確認することができる。
【先行技術文献】
【特許文献】
【０００４】
【特許文献１】特開２０１２−６８９１０号公報
【発明の概要】
【発明が解決しようとする課題】
【０００５】
ところで、ツイッター（登録商標）のシステムでは、受け付けられ得るメッセージ情報（投稿文）は、表すことのできるメッセージが所定文字数（１４０文字）以内の文字列で構成されていなければならない。このため、多くの情報を伝えたい利用者は、複数のメッセージで一連の情報が表されるように、関連する複数のメッセージ情報を時間的にずらして投稿する場合がある。
【０００６】
ツイッター（登録商標）のシステムでは、リアルタイム性を重視する観点から、このシステムにアクセスする端末機器においては、時間的により新しいメッセージ情報によって表されるメッセージが、一覧表のより上位に位置するように、出力される。このため、上述したように、複数のメッセージによって一連の情報が表される場合、一覧表での配列順序とは逆の順序でそれら関連する複数のメッセージの内容を確認するようになるので、一覧表示されるメッセージから、一連の情報を表す複数のメッセージを探し出してその内容を確認することが難しい。瞬時に消えてしまう音声にてメッセージが出力される場合（例えば、特許文献１参照）、順次音声出力される多くのメッセージから、一連の情報を表す複数のメッセージを判断することは更に難しい。
【０００７】
本発明は、上記の事情に鑑みてなされたもので、同一の発信者からの複数のメッセージ情報が表す複数のメッセージによって一連の情報が表される場合、その一連の情報を利用者が容易に把握することができるように前記複数のメッセージを出力することのできる情報処理装置、該情報処理装置での処理方法、及び前記情報処理装置での処理をコンピュータに行わせるためのプログラムを提供するものである。
【課題を解決するための手段】
【０００８】
まず、本発明に係る情報処理装置は、発信者から提供されるメッセージ情報を取得し、その取得したメッセージ情報が表すメッセージを出力部から出力する情報処理装置であって、所定の時間範囲で提供された複数のメッセージ情報から、指定された発信者から提供されたメッセージ情報を検索する検索手段と、該検索手段での検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定手段と、該判定手段による判定結果に基づいて、前記検索結果に係る複数のメッセージ情報から一連のメッセージを構成する複数のメッセージを抽出するメッセージ抽出手段と、該抽出手段により抽出された複数のメッセージを用いて出力メッセージを生成する出力メッセージ生成手段とを有する構成となる。
【０００９】
このような構成により、指定された発信者から提供された複数のメッセージ情報のそれぞれが表すメッセージにおける、他のメッセージとの連続性を意味する文字列として予め定めた判定文字列の有無の状況が判定され、その判定結果に基づいて、前記複数のメッセージ情報から一連のメッセージを構成する複数のメッセージが抽出される。そして、その一連のメッセージを構成する複数のメッセージを用いて生成された出力メッセージが出力部から出力される。
【００１０】
本発明に係る情報処理装置において、前記出力メッセージ生成手段は、前記一連のメッセージを構成するものとして抽出された複数のメッセージを構成する複数の文字列を、対応するメッセージ情報が提供された順番に並べて、前記出力メッセージを生成する構成とすることができる。
【００１１】
このような構成により、一連のメッセージを構成するものとして抽出された複数のメッセージを構成する複数の文字列を対応するメッセージ情報が提供された順番に並べて出力部から出力すべき前記出力メッセージが生成される。
【００１２】
本発明に係る情報処理装置において、前記メッセージ生成手段は、前記判定文字が含まれていると判定された各メッセージを構成する文字列から前記判定文字列を削除する判定文字列削除手段を有し、該判定文字列削除手段により削除されたメッセージを用いて、前記出力メッセージを生成する構成とすることができる。
【００１３】
このような構成により、複数のメッセージを並べて生成される出力メッセージ中に、メッセージの内容に直接関係のない判定文字列が含まれなくなるので、出力部から出力される出力メッセージがより理解し易いものとなる。
【００１４】
また、本発明に係る情報処理装置において、前記出力部は、音を出力するスピーカを含み、前記出力メッセージを前記スピーカから音声として出力させる音声出力制御手段を有する構成とすることができる。
【００１５】
このような構成により、メッセージの内容に直接関係のない判定文字列の含まれていない出力メッセージが音声として出力される。
【００１６】
当該情報処理装置は、車載機器として構成することができる。
【００１７】
本発明に係る情報処理装置において、前記出力部は、通信機能を含み、前記出力メッセージを該通信機能により他の電子機器に送出する構成とすることができる。
【００１８】
このような構成により、通信機能によって送出される、一連のメッセージを構成する複数のメッセージを用いて生成された出力メッセージを、携帯端末、車載機器等の他の電子機器にて受信して利用することができる。
【００１９】
本発明に係る情報処理装置での処理方法は、発信者から提供されるメッセージ情報を取得し、その取得したメッセージ情報が表すメッセージを出力部から出力する情報処理装置での処理方法であって、所定の時間範囲で提供された複数のメッセージ情報から、指定された発信者から提供されたメッセージ情報を検索する検索ステップと、該検索ステップでの検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定ステップと、該判定ステップによる判定結果に基づいて、前記検索結果に係る複数のメッセージ情報から一連のメッセージを構成する複数のメッセージを抽出するメッセージ抽出ステップと、該抽出ステップにより抽出された複数のメッセージを用いて出力メッセージを生成する出力メッセージ生成ステップとを有する構成となる。
【００２０】
また、本発明に係るプログラムは、発信者から提供されるメッセージ情報を取得し、その取得したメッセージ情報が表すメッセージを出力部から出力する情報処理装置での処理をコンピュータに行わせるプログラムであって、前記コンピュータに、所定の時間範囲で提供された複数のメッセージ情報から、指定された発信者から提供されたメッセージ情報を検索する検索ステップと、該検索ステップでの検索結果として複数のメッセージ情報が得られたときに、その検索結果に係る複数のメッセージ情報のそれぞれが表すメッセージにおける、他のメッセージとの連続性を意味する文字列として予め定めた判定文字列の有無の状況を判定する判定ステップと、該判定ステップによる判定結果に基づいて、前記検索結果に係る複数のメッセージ情報から一連のメッセージを構成する複数のメッセージを抽出するメッセージ抽出ステップと、該抽出ステップにより抽出された複数のメッセージを用いて出力メッセージを生成する出力メッセージ生成ステップとを行わせる構成となる。
【発明の効果】
【００２１】
本発明に係る情報処理装置、該情報処理装置での処理方法及び該情報処理装置での処理をコンピュータに行わせるためのプログラムによれば、指定された発信者から提供された複数のメッセージ情報のそれぞれが表すメッセージにおける、他のメッセージとの連続性を意味する文字列として予め定めた判定文字列の有無の状況に基づいて、前記複数のメッセージ情報から一連のメッセージを構成する複数のメッセージが抽出され、その一連のメッセージを構成する複数のメッセージを用いて生成された出力メッセージが出力部から出力されるので、一連の情報を利用者が容易に把握することができるように前記複数のメッセージを出力することができる。
【図面の簡単な説明】
【００２２】
【図１】本発明の実施の形態に係る情報処理装置を示すブロック図である。
【図２】メッセージの出力に係る処理の手順を示すフローチャートである。
【図３】指定された発信者から提供されたメッセージを表す図である。
【図４】複数のメッセージを結合して生成された出力メッセージの出力例を示す図である。
【図５】一覧表示される投稿文ユニット（メッセージを含む）の一例を示す図である。
【発明を実施するための形態】
【００２３】
以下、本発明の実施の形態について図面を用いて説明する。
【００２４】
本発明の実施の一形態に係る情報処理装置は、図１に示すように構成される。この情報処理装置は、車両に搭載される装置、即ち、車載機器である。
【００２５】
図１に示す車載機器（情報処理装置）は、コンピュータの主要部であって、プログラムに従って各種処理を実行するＣＰＵ１１を有している。また、この車載機器は、テーブルやデータベース等の各種情報、及びＣＰＵ１１で実行可能な各種プログラムを記憶しておく補助記憶装置（ハードディスク装置等）１２、ＣＰＵ１１が実行するプログラム、ＣＰＵ１１での処理に必要な情報やその処理により得られた情報等を格納するために用いられるメモリ１３、液晶表示パネル（ＬＣＤ）等によって構成され、各種情報を表示する表示部（出力部）１６、表示部１６の液晶表示パネルと一体化されたタッチパネルや操作ボタン等で構成され、処理に対する指示や各種情報を入力するために用いられる操作部１５、外部の通信インフラ（移動体通信網）と所定の手順に従って通信を行う通信部１８、及び出力回路２１を介して供給される音声信号に基づいた音声を出力するスピーカ（出力部）２０を有している。
【００２６】
補助記憶装置１２、メモリ１３を制御するメモリ制御部１４、操作部１５からの情報の入力制御及び表示部１６に対する情報の出力制御を行う入出力制御部１７、通信部１８の制御を行う通信制御部１９、及び出力回路２１を介したスピーカ２０の駆動制御（音声出力制御）を行う音声出力制御部２２は、共通のバスを介してＣＰＵ１１に結合されている。ＣＰＵ１１は、メモリ制御部１４による制御を通して、メモリ１３に対する情報の読み出し及び書き込みを行い、入出力制御部１７での制御を通して、操作部１５からの操作情報を入力し、表示部１６に情報を出力させる。また、ＣＰＵ１１は、通信制御部１９での制御を通して、通信部１８に情報を送信させ、また、通信部１８にて受信された情報を取得する。更に、ＣＰＵ１１は、音声出力制御部２２での制御を通してスピーカ２０を駆動し、該スピーカ２０に情報の音声出力を行わせる。
【００２７】
この車載機器では、ＣＰＵ１１の制御のもと、操作部１５での操作に従って、投稿文（メッセージ情報）を、通信部１８による通信によって、所定の情報提供システム（例えば、ツイッター（登録商標）のシステム）に送る（投稿する）ことができる。各投稿文（メッセージ情報）は、メッセージ、投稿者の情報（ニックネーム、アイコン、ＵＲＬ等）、及び投稿時刻等を含む。また、ＣＰＵ１１の制御のもと、通信部１８による通信により前記情報提供システムにアクセスして、既に投稿されている投稿文を前記情報提供システムから取得し、その取得した各投稿文に対応した投稿文ユニット（メッセージを含む）を表示部１６に、例えば、図５に示すように、一覧表示させることができる。図５に示す例では、各投稿者に対応するアイコン、ニックネーム（aaaa、bbbb等）及び投稿時刻とともに、メッセージ（「おはよう」、「天気は上々」等）が一組となった投稿文ユニットＭ１〜Ｍ４、・・・、Ｍｉ〜Ｍｉ＋３、・・・、Ｍｊ、Ｍｊ＋１、・・・、Ｍｋが、下から上に向かって、対応する投稿文が投稿された順番（時系列的）に配列されるように一覧表示される。
【００２８】
ＣＰＵ１１は、所定のプログラムを実行することにより、複数の投稿文により表される一連のメッセージの出力処理を行う。このメッセージの出力処理は、図２に示す手順に従って、次のようになされる。
【００２９】
図２において、操作部１５での操作によって検索の時間範囲として指定された過去から現時点に至るまでの時間範囲が取得され（Ｓ１１）、操作部１５での操作によって指定された投稿者を特定する情報（ニックネーム等）が取得される（Ｓ１２）。そして、情報提供システム（例えば、ツイッター（登録商標）のシステム）から取得された全投稿文（メッセージ情報）のうちの前記指定された時間範囲内に投稿された複数の投稿文から、前記指定された投稿者の投稿文が検索される（Ｓ１３：検索手段）。そして、その検索結果として複数の投稿文が得られたか否かが判定される（Ｓ１４）。前記検索結果として複数の投稿文が得られると（Ｓ１４でＹＥＳ）、即ち、指定された投稿者から提供された複数の投稿文があると、その検索結果に係る複数のメッセージ情報のそれぞれが表すメッセージにおける、予め定めた判定文字列の有無の状況についての判定処理がなされる（Ｓ１５：判定手段）。前記判定文字列は、他のメッセージとの連続性を意味する文字列として予め定めた文字列であって、例えば、メッセージの先頭または末尾に配置された、「続」、「承前」、「Ｃｏｎｔ」、「Ｃｏｎｔｉｎｕｅ」、アラビア文字の文字列や、それらの文字列を記号（例えば、「（）」）で囲んだ文字列を含み得る。なお、前記判定文字列は、１文字であっても、また、記号を含んでもよい。
【００３０】
前記判定処理（Ｓ１５）での判定結果に基づいて、前記検索結果に係る複数のメッセージ情報の少なくとも１つにて表されるメッセージに前記判定文字列が含まれていたか否かが判定される（Ｓ１６）。そして、前記複数のメッセージ情報の少なくとも１つにて表されるメッセージに前記判定文字列が含まれていれば（Ｓ１６でＹＥＳ）、前記複数のメッセージ情報のそれぞれが表すメッセージにおける、前記判定文字列の有無の状況についての判定結果に基づいて、一連のメッセージを構成する複数のメッセージが抽出される（Ｓ１７：メッセージ抽出手段）。
【００３１】
例えば、図５に示すように一覧表示される複数の投稿文ユニットに対応した投稿文から、投稿者「aaaa」の４つの投稿文（投稿文ユニットＭ２、Ｍｉ、Ｍｊ、Ｍｋに対応）が検索結果として得られた場合、図３に示すように、一連のメッセージを構成する３つのメッセージが抽出される。
【００３２】
この場合、投稿文（投稿文ユニットＭｋ）が表すメッセージ
「おはよう。」
には、判定文字列が含まれておらず、このメッセージは、一連のメッセージを表すメッセージではない、と判定される。
次の投稿文（投稿文ユニットＭｊ）が表すメッセージ
「まずは、こちらは天気上々、今日は、・・・◎◎な話も（続）」
には、判定文字列「（続）」が含まれているので、このメッセージと次のメッセージとは、一連のメッセージを表すメッセージであると、判定される。
また、次の投稿文（投稿文ユニットＭｉ）が表すメッセージ
「次に○○は△△であり、××は□□であるから、・・・な話も（続）」
には、判定文字列「（続）」が含まれているので、このメッセージと次のメッセージとは、一連のメッセージを表すメッセージであると、判定される。
更に次の投稿文（投稿文ユニットＭ２）が表すメッセージ
「結局のところ・・・ですね。おしまい。」
には、判定文字列が含まれておらず、このメッセージは、更に次のメッセージとともに一連のメッセージを表すものとはならない、と判定される。
上記の判定処理（Ｓ１５）での判定結果に基づいて、
図３に示すように、
「まずは、こちらは天気上々、今日は、・・・◎◎な話も（続）」
「次に○○は△△であり、××は□□であるから、・・・な話も（続）」、及び
「結局のところ・・・ですね。おしまい。」、
の３つのメッセージが一連のメッセージを表すものとして抽出される（Ｓ１７）。
【００３３】
上記のようにして、一連のメッセージを表す複数のメッセージが抽出されると、その抽出されたメッセージから前記判定文字列が削除される（Ｓ１８：判定文字列削除手段）。例えば、図３に示した３つのメッセージのうち、判定文字列「（続）」を含む各メッセージから当該判定文字列が削除され、
「まずは、こちらは天気上々、今日は、・・・◎◎な話も」
「次に○○は△△であり、××は□□であるから、・・・な話も」、及び
「結局のところ・・・ですね。おしまい。」、
の３つのメッセージが得られる。
【００３４】
そして、前記一連のメッセージを表すものとして抽出された複数のメッセージを用いて出力メッセージが生成される（Ｓ１９：出力メッセージ生成手段）。例えば、図３に示す３つのメッセージが抽出された場合、その３つのメッセージ（判定文字列が削除された状態）を、対応する投稿文が投稿された順番に並べて、前記出力メッセージが生成される。即ち、
「まずは、こちらは天気上々、今日は、・・・◎◎な話も＿次に○○は△△であり、××は□□であるから、・・・な話も＿結局のところ・・・ですね。おしまい。」
という一連のメッセージが出力メッセージとして生成される。そして、その出力メッセージの出力処理がなされる（Ｓ２０）。例えば、図４に示すように、表示部１６に、前記出力メッセージが表示される。この場合、取得された投稿者を特定する情報（Ｓ１２参照）に基づいて、
「aaaaさんからの投稿です」
という文ＳＥＮＴ０が追加的に表示されるとともに、メッセージとメッセージとの間にスペースＳｐ１、Ｓｐ２が設けられる。
【００３５】
また、上記出力処理（Ｓ２０）により、前記出力メッセージの表示部１６での表示とともに、スピーカ２０からの音声出力がなされる。この音声出力の処理では、前記出力メッセージが音声合成の技術によって音声情報に変換され、その音声情報が、音声出力制御部２２及び出力回路２１での処理を経て音声信号としてスピーカ２０に供給される（音声出力制御手段）。そして、前記音声信号によりスピーカ２０が駆動されることにより、前記出力メッセージが音声として出力される。なお、この出力メッセージの音声出力では、前記メッセージとメッセージとの間に設けたスペースＳｐ１、Ｓｐ２（図４参照）に対応させて所定の無音区間が設けられる。これにより、出力メッセージの音声を聴く利用者は、メッセージの区切りを認識することができる。
【００３６】
前述したような車載機器（情報処理装置）では、指定された投稿者から投稿された複数のメッセージ情報（投稿文）のそれぞれが表すメッセージにおける、予め定めた判定文字列（「（続）」等）の有無の状況に基づいて、前記複数のメッセージ情報から一連のメッセージを構成する複数のメッセージが抽出され（図３参照）、その一連のメッセージを構成する複数のメッセージを用いて生成された出力メッセージが出力部から出力される（図４参照）。このように、例えば、図５に示すように多くの投稿ユニットが一覧表示されるなかから、関連する３つのメッセージが一連のメッセージとして出力されるので、利用者は、その一連のメッセージにて表される情報を容易に把握することができる。
【００３７】
なお、判定文字列は、前述した例に限定されるものではなく、他のメッセージとの連続性を表す文字列として予め定めた文字列であればよい。
【００３８】
また、本願発明は、車載機器に限定されず、パソコン、スマートフォン等の他の情報処理装置として具体化することができる。また、本発明に係る情報理装置は、ユーザが保有する携帯端末等の他の電子機器が無線又は有線により接続されるサーバー装置等に含まれ、携帯端末等の他の電子機器からの検索要求に応じて生成した出力メッセージ（図２のＳ１１〜Ｓ１９の処理による）を通信機能（出力部）によりユーザが保有する前記携帯端末等の他の電子機器に送出するように構成することができる。この場合、前記出力メッセージを受信した携帯端末等の他の電子機器にて当該出力メッセージを表示させることができる。
【産業上の利用可能性】
【００３９】
本発明に係る情報提供装置は、同一の発信者からの複数のメッセージ情報が表す複数のメッセージによって一連の情報が表される場合、その一連の情報を利用者が容易に把握することができるように前記複数のメッセージを出力することができるという効果を有し、ツイッター（登録商標）等の情報提供サービスのシステムにおいて発信者から提供される投稿文等のメッセージ情報を取得し、その取得したメッセージ情報が表すメッセージを表示パネルやスピーカ等の出力部から出力する情報処理装置として有用である。
【符号の説明】
【００４０】
１１  ＣＰＵ
１２  補助記憶装置
１３  メモリ
１４  メモリ制御部
１５  操作部
１６  表示部
１７  入出力制御部
１８  通信部
１９  通信制御部
２０  スピーカ
２１  出力回路
２２  音声出力制御部
【図１】
2015001890.tif 000003
【図２】
2015001890.tif 000004
【図３】
2015001890.tif 000005
【図４】
2015001890.tif 000006
【図５】
2015001890.tif 000007